(57)【要約】【課題】透析液収容部及び補充液収容部から透析液小分けチャンバ及び補充液小分けチャンバに対する移送を良好に行わせることができるとともに、透析液収容部及び補充液収容部の設置レイアウトの自由度を向上させることができる血液浄化装置を提供する。【解決手段】第１透析液導入ラインＬ１ａに配設され、透析液収容バッグＢ１の透析液を送液して透析液小分けチャンバＫ２に移送する透析液移送ポンプＰ５と、第１補液ラインＬ２ａに配設され、補充液収容バッグＢ２の補充液を送液して補充液小分けチャンバＫ１に移送する補液移送ポンプＰ６と、透析液移送ポンプＰ５及び補液移送ポンプＰ６を制御する制御部５を具備したものである。【選択図】図１
2020074987.tif 000002
【特許請求の範囲】
【請求項１】
動脈側血液回路及び静脈側血液回路を有するとともに、当該動脈側血液回路及び静脈側血液回路の間に、患者の血液を浄化する血液浄化器が介装された状態で、患者の血液を体外循環させる血液回路と、
支持部が支持する透析液収容部の透析液を一時的に貯留する透析液小分けチャンバと、
前記支持部が支持する補充液収容部の補充液を一時的に貯留する補充液小分けチャンバと、
前記透析液収容部に収容された透析液を前記透析液小分けチャンバに流通させる第１透析液導入ラインと、
前記補充液収容部に収容された補充液を前記補充液小分けチャンバに流通させる補液ラインと、
を備えた血液浄化装置において、
前記第１透析液導入ラインに配設され、前記透析液収容部の透析液を前記透析液小分けチャンバに移送する透析液移送ポンプと、
前記補液ラインに配設され、前記補充液収容部の補充液を前記補充液小分けチャンバに移送する補液移送ポンプと、
前記透析液移送ポンプ及び補液移送ポンプを制御する制御部と、
を具備する血液浄化装置。
【請求項２】
前記血液浄化器からの排液を貯留する排液小分けチャンバと、
前記排液小分けチャンバに貯留された排液を装置外部に排出させる排液排出ラインと、
前記排液排出ラインに配設され、前記排液小分けチャンバの排液を装置外部に移送する排液移送ポンプと、
を更に具備し、
前記制御部が、前記透析液移送ポンプ及び補液移送ポンプに加えて、前記排液移送ポンプを制御する請求項１記載の血液浄化装置。
【請求項３】
前記透析液移送ポンプ、補液移送ポンプ、及び排液移送ポンプは、透析液、補充液及び排液の流路を構成する可撓性チューブをしごいて送液するしごき型ポンプである請求項１又は請求項２記載の血液浄化装置。
【請求項４】
前記透析液小分けチャンバに貯留された透析液を前記血液浄化器に流通させる第２透析液導入ラインと、
前記第２透析液導入ラインに配設され、前記透析液小分けチャンバに貯留された透析液を前記血液浄化器に送液する透析液導入ポンプと、を更に具備し、
前記制御部は、前記透析液導入ポンプの流量に応じて前記透析液移送ポンプの流量を制御する請求項１〜３の何れか１つに記載の血液浄化装置。
【請求項５】
前記透析液導入ポンプの流量が６０００ｍＬ／ｈより多く設定される請求項１〜４の何れか１つに記載の血液浄化装置。
【請求項６】
前記支持部が支持する前記透析液収容部の下部の高さと前記透析液小分けチャンバの上部の高さの差、及び前記支持部が支持する前記補充液収容部の下部の高さと前記補充液小分けチャンバの上部の高さの差がそれぞれ４０ｃｍより小さい請求項１〜５の何れか１つに記載の血液浄化装置。
【請求項７】
前記支持部が支持する前記透析液収容部及び補充液収容部の下部の高さが１６０ｃｍ未満である請求項１〜６の何れか１つに記載の血液浄化装置。
【請求項８】
前記支持部において、前記透析液収容部及び補充液収容部の少なくとも一方を支持する高さを調整可能である請求項１〜７の何れか１つに記載の血液浄化装置。
【請求項９】
前記透析液小分けチャンバ又は補充液小分けチャンバの貯留量が規定量に達したことを前記透析液移送ポンプ又は補液移送ポンプによる流量の積算値で判断する請求項１〜８の何れか１つに記載の血液浄化装置。
【請求項１０】
前記透析液小分けチャンバの貯留量が規定量に到達したことを検出する検出部を更に具備し、
前記制御部は、前記透析液小分けチャンバの貯留液が規定量に到達したことを前記検出部が検出するとき、前記透析液移送ポンプを停止する請求項１〜９の何れかに記載の血液浄化装置。
【請求項１１】
前記補液小分けチャンバの貯留量が規定量に到達したことを検出する検出部を更に具備し、
前記制御部は、前記補液小分けチャンバの貯留液が規定量に到達したことを前記検出部が検出するとき、前記補液移送ポンプを停止する請求項１〜１０の何れかに記載の血液浄化装置。
【発明の詳細な説明】
【技術分野】
【０００１】
本発明は、患者の血液を体外循環させつつ浄化するための血液浄化装置に関するものである。
【背景技術】
【０００２】
一般に、透析治療を行うための血液浄化装置は、患者の血液を体外循環させるための血液回路を構成する動脈側血液回路及び静脈側血液回路と、血液回路にて体外循環する血液を浄化するための血液浄化手段と、血液回路及び血液浄化手段にて血液浄化治療させるための血液ポンプ等の種々の治療手段が配設された装置本体とを具備している。動脈側血液回路及び静脈側血液回路の先端には、それぞれバスキュラーアクセスカテーテル、或いは穿刺針（動脈側穿刺針及び静脈側穿刺針）が取り付け可能とされる。
【０００３】
そして、例えば動脈側穿刺針及び静脈側穿刺針を患者に穿刺した後、血液ポンプを駆動させることにより、患者の血液が動脈側血液回路及び静脈側血液回路を流動することとなり、その流動過程において血液浄化手段にて血液浄化されるようになっている。また、透析治療においては、血液浄化手段に透析液を導入するための透析液導入ラインと、血液浄化手段から排液を排出するための排液排出ラインとがそれぞれ血液浄化手段に接続されている。
【０００４】
ところで、血液浄化治療においては、血液浄化器の透析液流路に透析液を流通させることにより、血液浄化膜を介して血液中の物質を拡散作用によって除去する血液透析治療（ＨＤ）、血液浄化器において限外濾過圧の作用によって血液中の水分及び物質を除去し、除去した水分と同量の補充液を血液中に注入する血液濾過治療（ＨＦ）、血液透析治療（ＨＤ）及び血液濾過治療（ＨＦ）を同時に行う血液透析濾過（ＨＤＦ）なる治療法が確立されており、特に急性腎不全等の疾患を有する患者に対して血液浄化治療を行う場合、その患者の容態に合わせて、血液透析（ＨＤ）、血液濾過（ＨＦ）及び血液透析濾過（ＨＤＦ）を一治療過程で切り替えて行うこと必要がある。
【０００５】
このようなニーズに応えるべく、従来、透析液を所定量収容した透析液収容バッグと、補充液を所定量収容した補充液収容バッグとを所定の高さで支持するとともに、透析液収容バッグの透析液を貯留する透析液小分けチャンバ、補充液収容バッグの補充液を貯留する補充液小分けチャンバを具備し、これら小分けチャンバに貯留された透析液及び補充液を血液浄化器及び血液回路に導入する血液浄化装置が提案されている。
【０００６】
また、透析液収容バッグ及び補充液収容バッグは、透析液小分けチャンバ及び補充液小分けチャンバより高い位置に配設されており、透析液小分けチャンバ及び補充液小分けチャンバが空になると、落差（収容バッグと小分けチャンバの高低差）によって、透析液収容バッグの透析液が透析液小分けチャンバに流動して貯留されるとともに、補充液収容バッグの補充液が補充液小分けチャンバに流動して貯留されるよう構成されていた。なお、かかる先行技術は、文献公知発明に係るものでないため、記載すべき先行技術文献情報はない。
【発明の概要】
【発明が解決しようとする課題】
【０００７】
上記従来の血液浄化装置においては、収容バッグと小分けチャンバの高低差によって、透析液収容バッグ（透析液収容部）及び補充液収容バッグ（補充液収容部）の透析液及び補充液を透析液小分けチャンバ及び補充液小分けチャンバに流動させて貯留していたので、透析液収容部及び補充液収容部を十分高い位置で支持する必要があった。したがって、透析液収容部及び補充液収容部の支持位置（配置）が制限され、これら透析液収容部及び補充液収容部の設置レイアウトの自由度が乏しいという問題がある。
【０００８】
本発明は、このような事情に鑑みてなされたもので、透析液収容部及び補充液収容部から透析液小分けチャンバ及び補充液小分けチャンバに対する移送を良好に行わせることができるとともに、透析液収容部及び補充液収容部の設置レイアウトの自由度を向上させることができる血液浄化装置を提供することにある。
【課題を解決するための手段】
【０００９】
請求項１記載の発明は、動脈側血液回路及び静脈側血液回路を有するとともに、当該動脈側血液回路及び静脈側血液回路の間に、患者の血液を浄化する血液浄化器が介装された状態で、患者の血液を体外循環させる血液回路と、支持部が支持する透析液収容部の透析液を一時的に貯留する透析液小分けチャンバと、記支持部が支持する補充液収容部の補充液を一時的に貯留する補充液小分けチャンバと、前記透析液収容部に収容された透析液を前記透析液小分けチャンバに流通させる第１透析液導入ラインと、前記補充液収容部に収容された補充液を前記補充液小分けチャンバに流通させる補液ラインとを備えた血液浄化装置において、前記第１透析液導入ラインに配設され、前記透析液収容部の透析液を前記透析液小分けチャンバに移送する透析液移送ポンプと、前記補液ラインに配設され、前記補充液収容部の補充液を前記補充液小分けチャンバに移送する補液移送ポンプと、前記透析液移送ポンプ及び補液移送ポンプを制御する制御部とを具備する。
【００１０】
請求項２記載の発明は、請求項１記載の血液浄化装置において、前記血液浄化器からの排液を貯留する排液小分けチャンバと、前記排液小分けチャンバに貯留された排液を装置外部に排出させる排液排出ラインと、前記排液排出ラインに配設され、前記排液小分けチャンバの排液を装置外部に移送する排液移送ポンプとを更に具備し、前記制御部が、前記透析液移送ポンプ及び補液移送ポンプに加えて、前記排液移送ポンプを制御する。
【００１１】
請求項３記載の発明は、請求項１又は請求項２記載の血液浄化装置において、前記透析液移送ポンプ、補液移送ポンプ、及び排液移送ポンプは、透析液、補充液及び排液の流路を構成する可撓性チューブをしごいて送液するしごき型ポンプである。
【００１２】
請求項４記載の発明は、請求項１〜３の何れか１つに記載の血液浄化装置において、前記透析液小分けチャンバに貯留された透析液を前記血液浄化器に流通させる第２透析液導入ラインと、前記第２透析液導入ラインに配設され、前記透析液小分けチャンバに貯留された透析液を前記血液浄化器に送液する透析液導入ポンプと、を更に具備し、前記制御部は、前記透析液導入ポンプの流量に応じて前記透析液移送ポンプの流量を制御する。
【００１３】
請求項５記載の発明は、請求項１〜４の何れか１つに記載の血液浄化装置において、前記透析液導入ポンプの流量が６０００ｍＬ／ｈより多く設定される。
【００１４】
請求項６記載の発明は、請求項１〜５の何れか１つに記載の血液浄化装置において、前記支持部が支持する前記透析液収容部の下部の高さと前記透析液小分けチャンバの上部の高さの差、及び前記支持部が支持する前記補充液収容部の下部の高さと前記補充液小分けチャンバの上部の高さの差がそれぞれ４０ｃｍより小さい。
【００１５】
請求項７記載の発明は、請求項１〜６の何れか１つに記載の血液浄化装置において、前記支持部が支持する前記透析液収容部及び補充液収容部の下部の高さが１６０ｃｍ未満である。
【００１６】
請求項８記載の発明は、請求項１〜７の何れか１つに記載の血液浄化装置において、前記支持部において、前記透析液収容部及び補充液収容部の少なくとも一方を支持する高さを調整可能である。
【００１７】
請求項９記載の発明は、請求項１〜８の何れか１つに記載の血液浄化装置において、前記透析液小分けチャンバ又は補充液小分けチャンバの貯留量が規定量に達したことを前記透析液移送ポンプ又は補液移送ポンプによる流量の積算値で判断する。
【００１８】
請求項１０記載の発明は、請求項１〜９の何れかに記載の血液浄化装置において、前記透析液小分けチャンバの貯留量が規定量に到達したことを検出する検出部を更に具備し、前記制御部は、前記透析液小分けチャンバの貯留液が規定量に到達したことを前記検出部が検出するとき、前記透析液移送ポンプを停止する。
【００１９】
請求項１１記載の発明は、請求項１〜１０の何れかに記載の血液浄化装置において、前記補液小分けチャンバの貯留量が規定量に到達したことを検出する検出部を更に具備し、
前記制御部は、前記補液小分けチャンバの貯留液が規定量に到達したことを前記検出部が検出するとき、前記補液移送ポンプを停止する。
【発明の効果】
【００２０】
請求項１の発明によれば、第１透析液導入ラインに配設され、透析液収容部の透析液を透析液小分けチャンバに移送する透析液移送ポンプと、補液ラインに配設され、補充液収容部の補充液を補充液小分けチャンバに移送する補液移送ポンプと、透析液移送ポンプ及び補液移送ポンプを制御する制御部とを具備するので、透析液収容部及び補充液収容部から透析液小分けチャンバ及び補充液小分けチャンバに対する移送を良好に行わせることができるとともに、透析液収容部及び補充液収容部の設置レイアウトの自由度を向上させることができる。
【００２１】
請求項２の発明によれば、血液浄化器からの排液を貯留する排液小分けチャンバと、排液小分けチャンバに貯留された排液を装置外部に排出させる排液排出ラインと、排液排出ラインに配設され、排液小分けチャンバの排液を装置外部に移送する排液移送ポンプとを更に具備し、制御部が、透析液移送ポンプ及び補液移送ポンプに加えて、排液移送ポンプを制御するので、排液小分けチャンバの高さについても制限をなくすことができ、透析液収容部及び補充液収容部の設置レイアウトの自由度の向上に加え、排液小分けチャンバの設置レイアウトの自由度も向上させることができる。
【００２２】
請求項３の発明によれば、透析液移送ポンプ、補液移送ポンプ、及び排液移送ポンプは、透析液、補充液及び排液の流路を構成する可撓性チューブをしごいて送液するしごき型ポンプであるので、別個のクランプ手段等を要することなく、しごき型ポンプを停止させることによって、透析液、補充液及び排液の流路を閉止することができる。
【００２３】
請求項４の発明によれば、透析液小分けチャンバに貯留された透析液を血液浄化器に流通させる第２透析液導入ラインと、２透析液導入ラインに配設され、透析液小分けチャンバに貯留された透析液を血液浄化器に送液する透析液導入ポンプと、を更に具備し、制御部は、透析液導入ポンプの流量に応じて透析液移送ポンプの流量を制御するので、透析液小分けチャンバから血液浄化器に導入する透析液の流量に対して透析液小分けチャンバに移送する透析液の流量を大きく設定することができ、透析液小分けチャンバの透析液が液切れしてしまうのを確実に回避することができる。
【００２４】
請求項５の発明によれば、透析液導入ポンプの流量が６０００ｍＬ／ｈより多く設定されるので、血液浄化治療時の透析効率を向上させることができる。
【００２５】
請求項６の発明によれば、支持部が支持する透析液収容部の下部の高さと透析液小分けチャンバの上部の高さの差、及び支持部が支持する補充液収容部の下部の高さと補充液小分けチャンバの上部の高さの差がそれぞれ４０ｃｍより小さいので、透析液収容部及び補充液収容部を交換する際の作業性を向上させることができる。
【００２６】
請求項７の発明によれば、支持部が支持する透析液収容部及び補充液収容部の下部の高さが１６０ｃｍ未満であるので、透析液収容部及び補充液収容部を交換する際の作業性をより一層向上させることができる。
【００２７】
請求項８の発明によれば、支持部において、透析液収容部及び補充液収容部の少なくとも一方を支持する高さを調整可能であるので、透析液収容部及び補充液収容部の設置レイアウトに応じた位置に当該透析液収容部及び補充液収容部を容易に支持させることができる。
【００２８】
請求項９の発明によれば、透析液小分けチャンバ又は補充液小分けチャンバの貯留量が規定量に達したことを透析液移送ポンプ又は補液移送ポンプによる流量の積算値で判断するので、液面センサを具備することなく、透析液小分けチャンバや補充液小分けチャンバが満タンの状態に達したことを検知することができる。
【００２９】
請求項１０の発明によれば、透析液小分けチャンバの貯留量が規定量に到達したことを検出する検出部を更に具備し、制御部は、透析液小分けチャンバの貯留液が規定量に到達したことを検出部が検出するとき、透析液移送ポンプを停止するので、透析液収容部からの透析液の供給を良好に行わせることができる。
【００３０】
請求項１１の発明によれば、補液小分けチャンバの貯留量が規定量に到達したことを検出する検出部を更に具備し、制御部は、補液小分けチャンバの貯留液が規定量に到達したことを検出部が検出するとき、補液移送ポンプを停止するので、補充液収容部からの補液の供給を良好に行わせることができる。
【図面の簡単な説明】
【００３１】
【図１】本発明の実施形態に係る血液浄化装置を示す模式図
【図２】同血液浄化装置の外観（小分けチャンバを取り付ける前）を示す正面図
【図３】同血液浄化装置の外観（小分けチャンバを取り付けた後）を示す正面図
【図４】同血液浄化装置における小分けチャンバを示す正面図
【図５】同小分けチャンバを示す斜視図
【図６】同血液浄化装置における小分けチャンバを取り付けるための取付部を示す正面図及び側面図
【図７】同血液浄化装置における支持部の高さを変更した状態（支持位置を低くした状態）を示す正面図
【図８】本発明の他の実施形態（透析液収容部及び補充液収容部をそれぞれ支持する支持部を具備したもの）に係る血液浄化装置を示す模式図
【図９】本発明の他の実施形態（排出部が電磁弁のもの）に係る血液浄化装置を示す模式図
【発明を実施するための形態】
【００３２】
以下、本発明の実施形態について図面を参照しながら具体的に説明する。
本実施形態に係る血液浄化装置は、患者の血液を体外循環させつつ浄化するための血液透析装置に適用されたもので、図１〜３に示すように、動脈側血液回路１ａ及び静脈側血液回路１ｂを有する血液回路１と、動脈側血液回路１ａ及び静脈側血液回路１ｂの間に介装されて血液回路１を流れる血液を浄化するダイアライザ２（血液浄化器）と、第１透析液導入ラインＬ１ａ及び第２透析液導入ラインＬ１ｂと、第１補液ラインＬ２ａ、第２補液ラインＬ２ｂと、前補液ラインＬ２ｃ及び後補液ラインＬ２ｄと、第１排液排出ラインＬ３ａ及び第２排液排出ラインＬ３ｂと、血液ポンプＰ１と、透析液導入ポンプＰ２と、第１補液ポンプＰ３と、排液排出ポンプＰ４と、透析液移送ポンプＰ５と、補液移送ポンプＰ６と、排液移送ポンプＰ７と、第２補液ポンプＰ８と、補充液小分けチャンバＫ１、透析液小分けチャンバＫ２及び排液小分けチャンバＫ３を取り付け可能な取付部Ｄ（透析液小分けチャンバＫ２、及び補充液小分けチャンバＫ２を支持する第２の支持部に相当する）と、重量計４と、制御部５と、第１加温器Ｈ１及び第２加温器Ｈ２とを具備して構成されている。なお、図中符号Ｐａ、Ｐｂは、圧力センサを示している。また、本実施形態に係る血液ポンプＰ１、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８は、流路を構成する可撓性チューブをしごいて送液するしごき型ポンプにて構成されている。
【００３３】
動脈側血液回路１ａ及び静脈側血液回路１ｂには、それぞれの先端にコネクタが接続されており、当該コネクタを介して動脈側穿刺針及び静脈側穿刺針（不図示）が接続可能とされている。そして、動脈側血液回路１ａの先端に接続された動脈側穿刺針及び静脈側血液回路１ｂの先端に接続された静脈側穿刺針を患者に穿刺した状態で、血液ポンプＰ１を駆動させると、血液回路１にて患者の血液を体外循環させ得るようになっている。
【００３４】
すなわち、動脈側穿刺針及び静脈側穿刺針を患者に穿刺した状態において、血液ポンプＰ１を駆動させると、患者の血液は、動脈側血液回路１ａを通ってダイアライザ２に至り、ダイアライザ２によって血液浄化が施された後、静脈側血液回路１ｂを通って患者の体内に戻るようになっている。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００３５】
また、静脈側血液回路１ｂの途中には、エアトラップチャンバ３が接続されており、血液回路１にて体外循環する血液は、当該エアトラップチャンバ３にて気泡が取り除かれた後、患者に戻ることとなる。なお、動脈側穿刺針及び静脈側穿刺針を患者の血管に穿刺する形態に代えて、ダブルルーメンカテーテルを患者の鎖骨下静脈或いは大腿静脈に挿入、或いは患者の腕の血管に挿入する等の形態であってもよい。
【００３６】
ダイアライザ２は、血液を導入可能な血液導入ポート２ａと、血液を導出可能な血液導出ポート２ｂと、透析液を導入可能な透析液導入ポート２ｃと、透析液を導出可能な透析液導出ポート２ｄと、血液導入ポート２ａ及び血液導出ポート２ｂに亘って延設されて血液を流通可能な血液流路（不図示）と、透析液導入ポート２ｃ及び透析液導出ポート２ｄに亘って延設されて透析液を流通可能な透析液流路（不図示）と、血液流路と透析液流路との間に介在して当該血液流路を流通する血液を浄化し得る血液浄化膜（不図示）とを有している。
【００３７】
より具体的には、ダイアライザ２は、その筐体部に、血液導入ポート２ａ、血液導出ポート２ｂ、透析液導入ポート２ｃ及び透析液導出ポート２ｄが突出形成されており、このうち血液導入ポート２ａには動脈側血液回路１ａが、血液導出ポート２ｂには静脈側血液回路１ｂがそれぞれ接続されるとともに、透析液導入ポート２ｃには第２透析液導入ラインＬ１ｂが、透析液導出ポート２ｄには第１排液排出ラインＬ３ａがそれぞれ接続されるようになっている。さらに、効率的な透析治療を行わせるために、血液の入り口である血液導入ポート２ａと透析液の入り口である透析液導入ポート２ｃの上下方向の位置関係が逆になっており、血液流路にて流通する血液と対向する向きに透析液が流通するよう構成されている。
【００３８】
また、ダイアライザ２内には、複数の中空糸膜が収容されており、この中空糸が血液を浄化するための血液浄化膜を構成している。すなわち、中空糸を構成する血液浄化膜の内部が血液流路とされるとともに、筐体と中空糸との間の空間が透析液流路とされているのである。そして、血液浄化膜は、中空糸膜を形成しており、その外周面と内周面とを貫通した微小な孔（ポア）が多数形成され、当該中空糸該膜を介して血液流路を流通する血液中の不純物等が透析液流路を流通する透析液内に透過（濾過）し得るよう構成されている。
【００３９】
第１透析液導入ラインＬ１ａは、透析液収容バッグＢ１（透析液収容部）に収容された透析液を透析液小分けチャンバＫ２に流通させる可撓性チューブから成り、一端が透析液収容バッグＢ１（透析液収容部）の下部に接続されるとともに、他端が透析液小分けチャンバＫ２の下部に接続されている。透析液収容バッグＢ１は、ダイアライザ２に供給する透析液を所定容量収容したもので、図２、３に示すように、装置本体に取り付けられた支持部Ｑにて所定高さの位置で支持されている。透析液小分けチャンバＫ２は、透析液収容バッグＢ１（透析液収容部）の透析液を貯留するもので、透析液収容バッグＢ１より小さい容量の容器から成るものである。
【００４０】
また、第１透析液導入ラインＬ１ａには、透析液の流路を構成する可撓性チューブをしごいて送液するしごき型ポンプから成る透析液移送ポンプＰ５が配設されている。しかして、透析液移送ポンプＰ５は、駆動によってロータが回転し、ローラが可撓性チューブを長手方向にしごくことにより、透析液収容バッグＢ１に収容された透析液を透析液小分けチャンバＫ２に送液して貯留させ得るようになっている。
【００４１】
第２透析液導入ラインＬ１ｂは、透析液小分けチャンバＫ２に貯留された透析液をダイアライザ２に流通させる可撓性チューブから成り、一端が透析液小分けチャンバＫ２の下部に接続されるとともに、他端がダイアライザ２の透析液導入ポート２ｃに接続されている。また、第２透析液導入ラインＬ１ｂには、透析液の流路を構成する可撓性チューブをしごいて送液するしごき型ポンプから成る透析液導入ポンプＰ２が配設されている。しかして、透析液導入ポンプＰ２は、駆動によってロータが回転し、ローラが可撓性チューブを長手方向にしごくことにより、透析液小分けチャンバＫ２に貯留された透析液をダイアライザ２に送液して導入させ得るようになっている。
【００４２】
さらに、本実施形態に係る第２透析液導入ラインＬ１ｂには、透析液を加温するための加温器Ｈ１が取り付けられている。かかる加温器Ｈ１は、透析液小分けチャンバＫ２からダイアライザ２に導入される透析液を加温し得るヒータから成るもので、加温バッグ６を取り付け可能とされている。この加温バッグ６は、例えば可撓性のシートを２枚重ねて溶着することによって流路が形成されるとともに、当該流路の一端側及び他端側に第２透析液導入ラインＬ１ｂと接続可能な接続部を有して構成されている。
【００４３】
第１補液ラインＬ２ａは、補充液収容バッグＢ２（補充液収容部）に収容された補充液を補充液小分けチャンバＫ１に流通させる可撓性チューブから成り、一端が補充液収容バッグＢ２（補充液収容部）の下部に接続されるとともに、他端が補充液小分けチャンバＫ１の下部に接続されている。補充液収容バッグＢ２は、血液回路１に供給する補充液を所定容量収容したもので、図２、３に示すように、装置本体に取り付けられた支持部Ｑにて所定高さの位置で支持されている。補充液小分けチャンバＫ１は、補充液収容バッグＢ２（補充液収容部）の補充液を貯留するもので、補充液収容バッグＢ２より小さい容量の容器から成るものである。
【００４４】
また、第１補液ラインＬ２ａには、補充液の流路を構成する可撓性チューブをしごいて送液するしごき型ポンプから成る補液移送ポンプＰ６が配設されている。しかして、補液移送ポンプＰ６は、駆動によってロータが回転し、ローラが可撓性チューブを長手方向にしごくことにより、補充液収容バッグＢ２に収容された補充液を補充液小分けチャンバＫ１に送液して貯留させ得るようになっている。
【００４５】
第２補液ラインＬ２ｂは、補充液小分けチャンバＫ１に貯留された補充液を前補液ラインＬ２ｃ又は後補液ラインＬ２ｄを介して血液回路１に流通させる可撓性チューブから成り、一端が補充液小分けチャンバＫ１の下部に接続されるとともに、他端が前補液ラインＬ２ｃ及び後補液ラインＬ２ｄに接続されている。また、第２補液ラインＬ２ｂには、補充液の流路を構成する可撓性チューブをしごいて送液するしごき型ポンプから成る第１補液ポンプＰ３が配設されている。かかる第１補液ポンプＰ３は、駆動によってロータが回転し、ローラが可撓性チューブを長手方向にしごくことにより、補充液小分けチャンバＫ１に貯留された補充液を前補液ラインＬ２ｃを介して動脈側血液回路１ａ、又は後補液ラインＬ２ｄを介して静脈側血液回路１ｂに送液して補液し得るものである。
【００４６】
さらに、本実施形態に係る第２補液ラインＬ２ｂには、補充液を加温するための加温器Ｈ２が取り付けられている。かかる加温器Ｈ２は、補充液小分けチャンバＫ１から血液回路１に導入される補充液を加温し得るヒータから成るもので、図７に示すような加温バッグ６を取り付け可能とされている。この加温バッグ６は、例えば可撓性のシートを２枚重ねて溶着することによって流路６ａが形成されるとともに、当該流路６ａの一端側及び他端側に第２補液ラインＬ２ｂと接続可能な接続部６ｂ、６ｃを有して構成されている。
【００４７】
またさらに、第２補液ラインＬ２ｂにおける加温器Ｈ２と動脈側血液回路１ａ又は静脈側血液回路１ｂとの間には、補充液中の気泡を捕捉し得るエアトラップチャンバ７が取り付けられている。しかして、加温器Ｈ２で加温された補充液中の気泡は、エアトラップチャンバ７にて捕捉されるので、血液回路１に流れてしまうのを防止することができる。また、エアトラップチャンバ７の上部には、圧力センサＰｂが取り付けられた連結ラインＬ４が接続されており、エアトラップチャンバ７内の空気層を介して第２補液ラインＬ２ｂを流通する補充液の液圧を検出し得るようになっている。なお、連結ラインＬ４には、エアフィルタＦ４が接続されている。
【００４８】
前補液ラインＬ２ｃは、動脈側血液回路１ａに補充液を導入して前補液するための流路から成り、一端が第２補液ラインＬ２ｂに接続されるとともに、他端が動脈側血液回路１ａにおける血液ポンプＰ１とダイアライザ２との間に接続されている。そして、第１補液ポンプＰ３が駆動して補充液小分けチャンバＫ１から第２補液ラインＬ２ｂにて補充液が送液されると、その補充液が前補液ラインＬ２ｃを介して動脈側血液回路１ａに導入されるようになっている。
【００４９】
後補液ラインＬ２ｄは、静脈血液回路１ｂに補充液を導入して後補液するための流路から成り、一端が第２補液ラインＬ２ｂに接続されるとともに、他端が静脈側血液回路１ｂにおけるエアトラップチャンバ３との間に接続されている。そして、第１補液ポンプＰ３が駆動して補充液小分けチャンバＫ１から第２補液ラインＬ２ｂにて補充液が送液されると、その補充液が後補液ラインＬ２ｄを介して静脈側血液回路１ｂに導入されるようになっている。
【００５０】
本実施形態に係る前補液ラインＬ２ｃには、補充液の流路を構成する可撓性チューブをしごいて送液するしごき型ポンプから成る第２補液ポンプＰ８が配設されるとともに、後補液ラインＬ２ｄには、補充液の血液回路１に対する流動を許容しつつ反対側への流動を規制する逆止弁Ｖ１が接続されている。また、本実施形態に係る補液ポンプは、補液ライン（第２補液ラインＬ２ｂ）に配設された第１補液ポンプＰ３と、前補液ラインＬ２ｃ及び後補液ラインＬ２ｄの少なくとも一方（本実施形態においては、前補液ラインＬ２ｃ）に配設された第２補液ポンプＰ８とを有して構成されている。
【００５１】
これにより、第１補液ポンプＰ３と略同一の流動となるように第２補液ポンプＰ８を駆動させることにより、補充液小分けチャンバＫ１の補充液を動脈側血液回路１ａに導入させて前補液することができるとともに、第１補液ポンプＰ３を駆動させつつ第２補液ポンプＰ８を停止させることにより、補充液小分けチャンバＫ１の補充液を静脈側血液回路１ｂに導入させて後補液することができる。また、第２補液ポンプＰ８を第１補液ポンプＰ３よりも低い送液量となるよう駆動させることにより、動脈側血液回路１ａ及び静脈側血液回路１ｂに補充液を導入させて前後補液することができるようになっている。ここで、制御部５は、第１補液ポンプＰ３及び第２補液ポンプＰ８の送液量の比率を変更するように第１補液ポンプＰ３及び第２補液ポンプＰ８を制御することによって、前捕液量及び後捕液量の比率を変更可能である。
【００５２】
さらに、後補液ラインＬ２ｄには、逆止弁Ｖ１が接続されているので、第１補液ポンプＰ３と第２補液ポンプＰ８との間の流路に陰圧が生じた場合であっても、血液回路１内の血液が後補液ラインＬ２ｄに吸入されてしまうのを防止することができる。なお、第２補液ポンプＰ８の送液量が第１補液ポンプＰ３の送液量より大きい場合に、第１補液ポンプＰ３と第２補液ポンプＰ８との間の流路に陰圧が生じる。また、前補液ラインＬ２ｃに逆支弁Ｖ１が接続されるとともに、後補液ラインＬ２ｄに第２補液ポンプＰ８が配設されたもの、或いは前補液ラインＬ２ｃ及び後補液ラインＬ２ｄのそれぞれに第２補液ポンプＰ８が配設されたものとしてもよい。
【００５３】
またさらに、第２補液ラインＬ２ｂ（補液ライン）、前補液ラインＬ２ｃ及び後補液ラインＬ２ｄにおける第１補液ポンプＰ３、第２補液ポンプＰ８及び逆止弁Ｖ１で囲まれた補充液の流路の液圧を検出する圧力センサＰｂを具備するとともに、制御部５は、当該圧力センサＰｂにより検出された液圧に応じて第１補液ポンプＰ３又は第２補液ポンプＰ８の駆動速度を補正するようになっている。
【００５４】
第１排液排出ラインＬ３ａは、ダイアライザ２から排出された排液を排液小分けチャンバＫ３に流通させる可撓性チューブから成り、一端がダイアライザ２の透析液導出ポート２ｄに接続されるとともに、他端が排液小分けチャンバＫ３の下部に接続されている。排液小分けチャンバＫ３は、ダイアライザ２から排出された排液を貯留するもので、透析液小分けチャンバＫ２及び補充液小分けチャンバＫ１と略等しい容量の容器から成るものである。
【００５５】
また、第１排液排出ラインＬ３ａには、排液の流路を構成する可撓性チューブをしごいて送液するしごき型ポンプから成る排液排出ポンプＰ４が配設されている。しかして、排液排出ポンプＰ４は、駆動によってロータが回転し、ローラが可撓性チューブを長手方向にしごくことにより、ダイアライザ２の排液を排液小分けチャンバＫ３に送液して貯留し得るようになっている。
【００５６】
第２排液排出ラインＬ３ｂは、排液小分けチャンバＫ３に貯留された排液を装置外部に排出させる可撓性チューブから成り、一端が排液小分けチャンバＫ３の下部に接続されるとともに、他端が装置外部に取り付けられた処理装置や排液受け等まで延設されている。なお、第１補液ラインＬ３ａ及び第２補液ラインＬ３ｂにて本発明の補液ラインが構成されている。
【００５７】
また、第２排液排出ラインＬ３ｂには、排液の流路を構成する可撓性チューブをしごいて送液するしごき型ポンプから成る排液移送ポンプＰ７が配設されている。かかる排液移送ポンプＰ７（排出部）は、排液小分けチャンバＫ３に貯留された排液を任意タイミングで装置外部に送液して排出させるもポンプから成り、駆動によってロータが回転し、ローラが可撓性チューブを長手方向にしごくことにより、排液小分けチャンバＫ３の排液を装置外部に送液して排出し得るようになっている。
【００５８】
一方、透析液小分けチャンバＫ２、補充液小分けチャンバＫ１及び排液小分けチャンバＫ３は、図４、５に示すように、保持部Ｎに保持されるとともに、後述する取付部Ｄに取り付けられるようになっている。また、透析液小分けチャンバＫ２、補充液小分けチャンバＫ１及び排液小分けチャンバＫ３の各上部は、エアフィルタＦ１〜Ｆ３を介して大気開放されており、貯留した液体が流出すると各小分けチャンバ内に空気が導入されるとともに、液体が流入すると各小分けチャンバから空気が排出されるようになっている。
【００５９】
ここで、本実施形態に係る血液浄化装置は、図２、３に示すように、透析液収容バッグＢ１及び補充液収容バッグＢ２を所定高さで支持する支持部Ｑと、治療に関わる情報等を表示可能なモニタＭと、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８を収容した収容部Ｇと、取付部Ｄとを具備している。
【００６０】
支持部Ｑ（第１の支持部）は、装置本体に取り付けられたポール状部材から成り、所定位置に透析液収容バッグＢ１及び補充液収容バッグＢ２を支持可能な係止部Ｑ１と、高さ変更する際に操作可能なロック部Ｒとを有して構成されている。すなわち、本実施形態に係る支持部Ｑは、長手方向に伸縮可能とされており、透析液収容バッグＢ１及び補充液収容バッグＢ２を支持する高さを任意に調整可能とされているのである。なお、図２、３は、支持部Ｑが伸ばした状態とされて透析液収容バッグＢ１及び補充液収容バッグＢ２の支持位置が高い状態を示しているとともに、図７は、支持部Ｑが縮められた状態とされて透析液収容バッグＢ１及び補充液収容バッグＢ２の支持位置が低い状態を示している。
【００６１】
支持部Ｑに形成されたロック部Ｒは、支持部Ｑの上部と下部とをロック又はロック解除し得るもので、ロック解除された状態において、下部に対して上部をスライドさせることにより、係止部Ｑ１の高さを調整し得るようになっている。そして、係止部Ｑ１の高さを調整した後、ロック部Ｒを操作することにより、支持部Ｑの下部に対して上部がロックされ、係止部Ｑ１に透析液収容バッグＢ１及び補充液収容バッグＢ２を支持させることができるようになっている。
【００６２】
取付部Ｄ（第２の支持部）は、図３に示すように、小分けチャンバ（透析液小分けチャンバＫ２、補充液小分けチャンバＫ１及び排液小分けチャンバＫ３）を保持した状態の保持部Ｎを取り付け可能なもので、図６に示すように、背面側に取り付けられた重量計４（荷重センサ）によって、透析液小分けチャンバＫ２、補充液小分けチャンバＫ１及び排液小分けチャンバＫ３の重量を計測するよう構成されている。これにより、透析液小分けチャンバＫ２、補充液小分けチャンバＫ１及び排液小分けチャンバＫ３に貯留された透析液、補充液及び排液の重量バランスをリアルタイムで検出して監視し得るようになっている。
【００６３】
さらに、取付部Ｄには、透析液小分けチャンバＫ２の液面が規定に達した（すなわち、貯留した透析液が規定量に達した）ことを検出する液面センサＳ１と、補充液小分けチャンバＫ１の液面が規定に達した（すなわち、貯留した補充液が規定量に達した）ことを検出する液面センサＳ２とが配設されている。これにより、透析液小分けチャンバＫ２及び補充液小分けチャンバＫ１が満タン状態（透析液及び補充液が規定容量以上）となったことを検知することができる。
【００６４】
制御部５は、重量計４の計測値に基づいて、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８を含む各種アクチュエータを制御するもので、装置本体に取り付けられたマイコン等から成る。本実施形態に係る制御部５は、透析液小分けチャンバＫ２に貯留された透析液及び補充液小分けチャンバＫ１に貯留された補充液を規定量以上（満タン状態）とし、且つ、排液移送ポンプＰ７（排出部）により排液を排出させることにより、排液小分けチャンバＫ３に貯留された排液を規定量以下（初期化状態）とする初期化工程と、透析液小分けチャンバＫ２に貯留された透析液、補充液小分けチャンバＫ１に貯留された補充液、及び排液小分けチャンバＫ３に貯留された排液の重量を重量計４で計測する計測工程とを実行するよう構成されている。なお、排液小分けチャンバＫ３の初期化状態として、完全に空になる直前の状態が望ましいが、これに限らず、任意の規定量が設定され得る。
【００６５】
具体的には、計測工程において、透析液導入ポンプＰ２を駆動して透析液小分けチャンバＫ２に貯留された透析液をダイアライザ２に導入し、第１補液ポンプＰ３（必要に応じて第２補液ポンプＰ８）を駆動して補充液小分けチャンバＫ１に貯留された補充液を血液回路１に導入するとともに、排液排出ポンプＰ４を駆動してダイアライザ２からの排液を排液小分けチャンバＫ３に貯留させる。このとき、透析液移送ポンプＰ５、補液移送ポンプＰ６及び排液移送ポンプＰ７は停止した状態となっている。
【００６６】
そして、計測工程においては、重量計４によって、透析液小分けチャンバＫ２、補充液小分けチャンバＫ１及び排液小分けチャンバＫ３に貯留された透析液、補充液及び排液の重量バランスをリアルタイムで検出して監視し得るようになっている。しかして、重量計４の計測値に応じて、透析液導入ポンプＰ２、第１補液ポンプＰ３（第２補液ポンプＰ８）及び排液排出ポンプＰ４の駆動を制御することにより、透析液、補充液及び排液の重量バランスを所望な状態とすることができ、正常な治療を行わせることができる。
【００６７】
上記計測工程において、透析液導入ポンプＰ２、第１補液ポンプＰ３（必要に応じて第２補液ポンプＰ８）及び排液排出ポンプＰ４による流量の積算値（累積）が所定量に達し、透析液小分けチャンバＫ２及び補充液小分けチャンバＫ２が初期化状態（規定値以下）となり、排液小分けチャンバＫ３が満タン状態（規定値以上）となったことを検出すると、初期化工程に移行する。
【００６８】
初期化工程においては、透析液導入ポンプＰ２、第１補液ポンプＰ３（必要に応じて第２補液ポンプＰ８）及び排液排出ポンプＰ４の駆動を維持しつつ、透析液移送ポンプＰ５、補液移送ポンプＰ６及び排液移送ポンプＰ７を駆動させる。これにより、透析液移送ポンプＰ５の駆動によって透析液収容バッグＢ１から透析液小分けチャンバＫ２に透析液が補充されて貯留され、補液移送ポンプＰ６の駆動によって補充液収容バッグＢ２から補充液小分けチャンバＫ１に補充液が補充されて貯留されるとともに、排液移送ポンプＰ７の駆動によって排液小分けチャンバＫ３に貯留された排液が装置外部に排出される。
【００６９】
そして、液面センサＳ１、Ｓ２にて透析液小分けチャンバＫ２及び補充液小分けチャンバＫ１の液面を検知することによって、これら透析液小分けチャンバＫ２及び補充液小分けチャンバＫ１で貯留された透析液及び補充液が規定量に達したことを検出することができる。このとき、排液小分けチャンバＫ３の液面を検知する液面センサが配設されていないので、当該排液小分けチャンバＫ３が初期化状態（規定量以下）となったことを直接検出することはできない。
【００７０】
そこで、本実施形態においては、初期化工程時、液面センサＳ１、Ｓ２にて透析液及び補充液が規定量に達したことを検知し、透析液及び補充液が規定量（満タンの状態）に達した状態となったことが検出されると、重量計４にて計測された透析液小分けチャンバＫ２、補充液小分けチャンバＫ１及び排液小分けチャンバＫ３の透析液、補充液及び排液の総重量（重量計４の計測値）が規定値以下（初期化状態）となったことを条件として、排液移送ポンプＰ７（排出部）による排液の排出を終了させて計測工程に移行するようになっている。
【００７１】
これにより、排液小分けチャンバＫ３の液面を検知する液面センサを具備しなくても、排液小分けチャンバＫ３が初期化状態（規定値以下）になった時点で排液の排出を終了させることができるので、排液の排出量が不足したり、或いは初期化状態から更に排液移送ポンプＰ７を駆動させて第１排液排出ラインＬ３ａや第２排液排出ラインＬ３ｂまで液面が下がり、空気が混入してしまうのを回避することができる。
【００７２】
さらに、制御部５は、初期化工程時、上記条件に加え、排液移送ポンプＰ７（排出部）による流量の積算値（ロータの回転数）が、前回実行された測定工程における排液排出ポンプＰ７による流量の積算値（ロータの回転数）に達したことを条件として計測工程に移行するようにしてもよい。この場合、排液小分けチャンバＫ３の排液をより正確に排出させることができる。
【００７３】
ここで、本実施形態に係る制御部５は、透析液導入ポンプＰ２の流量に応じて透析液移送ポンプＰ５の流量を制御するもの、又は、透析液導入ポンプの流量が６０００ｍＬ／ｈより多く設定されたものであってもよい。また、透析液収容バッグＢ１の下部の高さと透析液小分けチャンバＫ２の上部の高さの差、及び補充液収容バッグＢ２の下部の高さと補充液小分けチャンバＫ１の上部の高さの差がそれぞれ４０ｃｍより小さいもの、又は、透析液収容バッグＢ１及び補充液収容バッグＢ２の下部の高さが１６０ｃｍ未満であるものであってもよい。さらに、透析液小分けチャンバＫ２又は補充液小分けチャンバＫ１の貯留量が規定量に達した（満タンの状態に達した）ことを透析液移送ポンプＰ５又は補液移送ポンプＰ６による流量の積算値で判断するようにしてもよい。
【００７４】
本実施形態によれば、第１透析液導入ラインＬ１ａに配設され、透析液収容バッグＢ１の透析液を透析液小分けチャンバＫ２に移送する透析液移送ポンプＰ５と、第１補液ラインＬ２ａに配設され、充液収容バッグＢ２の補充液を補充液小分けチャンバＫ１に移送する補液移送ポンプＰ６と、透析液移送ポンプＰ５及び補液移送ポンプＰ６を制御する制御部５とを具備するので、透析液収容バッグＢ１及び補充液収容バッグＢ２から透析液小分けチャンバＫ２及び補充液小分けチャンバＫ１に対する移送を良好に行わせることができるとともに、透析液収容バッグＢ１及び補充液収容バッグＢ２の設置レイアウトの自由度を向上させることができる。
【００７５】
また、ダイアライザ２からの排液を貯留する排液小分けチャンバＫ２と、排液小分けチャンバＫ２に貯留された排液を装置外部に排出させる排液排出ライン（第２排液排出ラインＬ３ｂ）と、排液排出ライン（第２排液排出ラインＬ３ｂ）に配設され、排液小分けチャンバＫ２の排液を装置外部に移送する排液移送ポンプＰ７と、を更に具備し、制御部５が、透析液移送ポンプＰ５及び補液移送ポンプＰ６に加えて、排液移送ポンプＰ７を制御するので、排液小分けチャンバＫ３の高さについても制限をなくすことができ、透析液収容バッグＢ１及び補充液収容バッグＢ２の設置レイアウトの自由度の向上に加え、排液小分けチャンバＫ３の設置レイアウトの自由度も向上させることができる。
【００７６】
さらに、透析液移送ポンプＰ５、補液移送ポンプＰ６、及び排液移送ポンプＰ７は、透析液、補充液及び排液の流路を構成する可撓性チューブをしごいて送液するしごき型ポンプであるので、別個のクランプ手段等を要することなく、しごき型ポンプを停止させることによって、透析液、補充液及び排液の流路を閉止することができる。
【００７７】
またさらに、透析液小分けチャンバＫ２に貯留された透析液をダイアライザ２に流通させる第２透析液導入ラインＬ１ｂと、第２透析液導入ラインＬ１ｂに配設され、透析液小分けチャンバＫ２に貯留された透析液をダイアライザ２に送液する透析液導入ポンプＰ２と、を更に具備し、制御部５は、透析液導入ポンプＰ２の流量に応じて透析液移送ポンプＰ５の流量を制御するようにすれば、透析液小分けチャンバＫ２からダイアライザ２に導入する透析液の流量に対して透析液小分けチャンバＫ２に移送する透析液の流量を大きく設定することができ、透析液小分けチャンバＫ２の透析液が液切れしてしまうのを確実に回避することができる。
【００７８】
また、透析液導入ポンプＰ２の流量を６０００ｍＬ／ｈより多く設定されるようにすれば、血液浄化治療時の透析効率を向上させることができるとともに、支持部Ｑ（第１の支持部）が支持する透析液収容バッグＢ１の下部の高さと取付部Ｄ（第２の支持部）が支持する透析液小分けチャンバＫ２の上部の高さの差、及び支持部Ｑ（第１の支持部）が支持する補充液収容バッグＢ２の下部の高さと取付部Ｄ（第２の支持部）が支持する補充液小分けチャンバＫ１の上部の高さの差がそれぞれ４０ｃｍより小さくすれば、透析液収容バッグＢ１及び補充液収容バッグＢ２を交換する際の作業性を向上させることができる。さらに、支持部Ｑ（第１の支持部）が支持する透析液収容バッグＢ１及び補充液収容バッグＢ２の下部の高さが１６０ｃｍ未満とすれば、透析液収容バッグＢ１及び補充液収容バッグＢ２を交換する際の作業性をより一層向上させることができる。
【００７９】
またさらに、支持部Ｑ（第１の支持部）において、透析液収容バッグＢ１及び補充液収容バッグＢ２の少なくとも一方を支持する高さを調整可能であるので、透析液収容バッグＢ１及び補充液収容バッグＢ２の設置レイアウトに応じた位置に当該透析液収容バッグＢ１及び補充液収容バッグＢ２を容易に支持させることができる。
【００８０】
また、透析液小分けチャンバＫ２又は補充液小分けチャンバＫ１の貯留量が規定量に達したことを透析液移送ポンプＰ５又は補液移送ポンプＰ６による流量の積算値で判断するようにすれば、液面センサＳ１、Ｓ２を具備することなく、透析液小分けチャンバＫ２や補充液小分けチャンバＫ１が満タンの状態に達したことを検知することができる。特に、本実施形態によれば、初期化工程時、透析液及び補充液が規定量に達した状態で、重量計４にて計測された透析液小分けチャンバＫ２、補充液小分けチャンバＫ１及び排液小分けチャンバＫ３の透析液、補充液及び排液の総重量が規定値未満となったことを条件として、排液移送ポンプＰ７（排出部）による排液の排出を終了させて計測工程に移行するので、排液小分けチャンバＫ３の液面を検知することなく、初期化工程時、排液小分けチャンバＫ３が初期化状態となったことを正確に把握することができる。
【００８１】
加えて、透析液小分けチャンバＫ１の貯留量が規定量に到達したことを検出する液面センサＳ２（検出部）を更に具備し、制御部５は、透析液小分けチャンバＫ１の貯留液が規定量に到達したことを液面センサＳ２が検出するとき、透析液移送ポンプＰ５を停止するので、透析液収容バッグＢ１からの透析液の供給を良好に行わせることができる。さらに、補液小分けチャンバＫ１の貯留量が規定量に到達したことを検出する液面センサＳ１（検出部）を更に具備し、制御部５は、補液小分けチャンバＫ１の貯留液が規定量に到達したことを液面センサＳ１が検出するとき、補液移送ポンプＰ６を停止するので、補充液収容バッグＢ２からの補液の供給を良好に行わせることができる。
【００８２】
また、透析液小分けチャンバＫ２及び補充液小分けチャンバＫ１に貯留された透析液及び補充液が規定量に達したことを検知する液面センサＳ１、Ｓ２を具備するとともに、制御部５は、初期化工程において、液面センサＳ１、Ｓ２にて透析液及び補充液が規定量に達したことを検知し、且つ、重量計４にて計測された透析液小分けチャンバＫ２、補充液小分けチャンバＫ１及び排液小分けチャンバＫ３の透析液、補充液及び排液の総重量が規定値未満となったことを条件として、計測工程に移行するので、初期化工程時、透析液小分けチャンバＫ２及び補充液小分けチャンバＫ１の満タン状態を正確に把握することができ、且つ、排液小分けチャンバＫ３が初期化状態となったことを正確に把握することができる。
【００８３】
さらに、排液小分けチャンバＫ３の排液を排出させる排出部は、排液小分けチャンバＫ３に貯留された排液を任意タイミングで装置外部に送液して排出させる排液移送ポンプＰ７から成るので、初期化工程における排液小分けチャンバＫ３からの排液の排出を円滑に行わせることができるとともに、排液移送ポンプＰ７の流量を制御することにより、排液の排出に要する時間を任意に調整することができる。
【００８４】
以上、本実施形態について説明したが、本発明はこれらに限定されず、例えば図９に示すように、第２排液排出ラインＬ３ｂに配設され、排液小分けチャンバＫ３に貯留された排液を任意タイミングで装置外部に排出させる排出部として、制御部５にて開閉制御される電磁弁Ｖ２であってもよい。この場合、初期化工程時、電磁弁Ｖ２を開状態として排液を装置外部に排出させることにより、排液小分けチャンバＫ３に貯留された排液を規定量以下（初期化状態）とすることができる。なお、電磁弁Ｖ２に代えて、第２排液排出ラインＬ３ｂの流路を開閉可能な他のクランプ手段としてもよい。
【００８５】
加えて、本実施形態においては、単一の重量計４によって、透析液小分けチャンバＫ２、補充液小分けチャンバＫ１及び排液小分けチャンバＫ３の透析液、補充液及び排液の総重量を計測し、これらの重量バランスを検出して監視しているが、透析液小分けチャンバＫ２、補充液小分けチャンバＫ１及び排液小分けチャンバＫ３における透析液、補充液及び排液のそれぞれの重量を計測し得る重量計であってもよい。
【００８６】
さらに、図８に示すように、透析液収容バッグＢ１を支持する支持部Ｑ１と、補充液収容バッグＢ２を支持する支持部Ｑ２とをそれぞれ具備したものとしてもよい。この場合、透析液収容バッグＢ１の高さと補充液収容バッグＢ２の高さをそれぞれ独立して調整することができ、これら透析液収容バッグＢ１及び補充液収容バッグＢ２の設置レイアウトをより一層向上させることができる。なお、透析液収容バッグＢ１及び補充液収容バッグＢ２は、可撓性の容器にて構成されているが、これに代えて、硬質の容器や液相等で構成された透析液収容部及び補充液収容部としてもよい。
【産業上の利用可能性】
【００８７】
第１透析液導入ラインに配設され、透析液収容部の透析液を送液して透析液小分けチャンバに移送する透析液移送ポンプと、補液ラインに配設され、補充液収容部の補充液を送液して補充液小分けチャンバに移送する補液移送ポンプと、透析液移送ポンプ及び補液移送ポンプを制御する制御部とを具備する血液浄化装置であれば、他の機能が付加されたもの等であってもよい。
【符号の説明】
【００８８】
１  血液回路
１ａ  動脈側血液回路
１ｂ  静脈側血液回路
２  ダイアライザ（血液浄化器）
３  エアトラップチャンバ
４  重量計
５  制御部
６  加温バッグ
７  エアトラップチャンバ
Ｋ１  補充液小分けチャンバ
Ｋ２  透析液小分けチャンバ
Ｋ３  排液小分けチャンバ
Ｂ１  透析液収容バッグ（透析液収容部）
Ｂ２  補充液収容バッグ（補充液収容部）
Ｌ１ａ  第１透析液導入ライン
Ｌ１ｂ  第２透析液導入ライン
Ｌ２ａ  第１補液ライン
Ｌ２ｂ  第２補液ライン
Ｌ２ｃ  前補液ライン
Ｌ２ｄ  後補液ライン
Ｌ３ａ  第１排液排出ライン
Ｌ３ｂ  第２排液排出ライン
Ｐ１  血液ポンプ
Ｐ２  透析液導入ポンプ
Ｐ３  第１補液ポンプ
Ｐ４  排液排出ポンプ
Ｐ５  透析液移送ポンプ
Ｐ６  補液移送ポンプ
Ｐ７  排液移送ポンプ（排出部）
Ｐ８  第２補液ポンプ
Ｈ１  第１加温器
Ｈ２  第２加温器
Ｓ１、Ｓ２  液面センサ
Ｐａ、Ｐｂ  圧力センサ
Ｄ  取付部（第２の支持部）
Ｑ  支持部（第１の支持部）
【図１】
2020074987.tif 000003
【図２】
2020074987.tif 000004
【図３】
2020074987.tif 000005
【図４】
2020074987.tif 000006
【図５】
2020074987.tif 000007
【図６】
2020074987.tif 000008
【図７】
2020074987.tif 000009
【図８】
2020074987.tif 000010
【図９】
2020074987.tif 000011